【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
ほぼ真円状を呈する表示基板部と、上記表示基板部の中心点に対する挟角を９０゜以内として上記表示基板部の１８０゜対向する２辺に連設された２つの端子部とを含み、上記真円状を呈する表示基板部がほぼ同形・同大の第１パネル基板および第２パネル基板を備え、
上記第１パネル基板と上記第２パネル基板とが、同軸として相対的に９０゜ずらされた状態で上記表示基板部の周りに形成されているシール材を介して貼り合わされているとともに、上記シール材にて囲まれた上記パネル基板間のセル内に液晶が注入されており、
上記第１パネル基板の上記セル内面側の基板面には、上記各端子部から上記表示基板部内に向けて互いに平行としてストライプ状に延びる第１透明電極群が形成され、
上記第２パネル基板の上記セル内面側の基板面には、上記第１透明電極群と直交するように、上記各端子部から上記表示基板部内に向けて互いに平行としてストライプ状に延びる第２透明電極群が形成されていることを特徴とする液晶表示素子。
【請求項２】
上記各端子部の上記表示基板部の中心点に対する挟角が９０゜であり、かつ、上記各端子部の外形が上記表示基板部と同心の円弧状に形成され、かつ、各上記各端子部の円弧状部によって仮想的に形成される曲線が１つの円をなしていることを特徴とする請求項１に記載の液晶表示素子。
【請求項３】
ほぼ真円状を呈する表示基板部と、上記表示基板部の中心点に対し１８０゜対向する上記表示基板部の２辺に連設された、外形が上記表示基板部と同心の円弧状の２つの端子部とを含み、上記真円状を呈する表示基板部がほぼ同形・同大の第１パネル基板および第２パネル基板を備え、
上記第１パネル基板と上記第２パネル基板とが、同軸として相対的にずらされ、上記端子部の円弧状部によって仮想的に形成される曲線が１つの円をなす状態で上記表示基板部の周りに形成されているシール材を介して貼り合わされているとともに、上記シール材にて囲まれた上記パネル基板間のセル内に液晶が注入されており、
上記第１パネル基板の上記セル内面側の基板面には、上記各端子部から上記表示基板部内に向けて互いに平行としてストライプ状に延びる第１透明電極群が形成され、
上記第２パネル基板の上記セル内面側の基板面には、上記第１透明電極群と直交するように、上記各端子部から上記表示基板部内に向けて互いに平行としてストライプ状に延びる第２透明電極群が形成されていることを特徴とする液晶表示素子。
【請求項４】
ほぼ真円状を呈する表示基板部と、上記表示基板部の中心点に対し１８０゜対向する上記表示基板部の２辺に連設された、外形が上記表示基板部と同心の円弧状の２つの端子部とを含むパネル基板を２枚作製し、
上記各パネル基板の一方の面に、上記各端子部から上記表示基板部内に向けて互いに平行としてストライプ状に延びる透明電極群をそれぞれ形成し、
上記一方のパネル基板の一方の面側で上記表示基板の周りにシール材を塗布し、そのシール材で囲まれた上記表示基板部内に液晶を滴下注入し、
上記各パネル基板を同軸として相対的にずらし、上記各端子部の円弧状部によって仮想的に形成される曲線が１つの円をなす状態で、上記シール材を介して貼り合わせることを特徴とする液晶表示素子の製造方法。
【請求項５】
ほぼ真円状を呈する表示基板部と、上記表示基板部の中心点に対する挟角を９０゜以内として上記表示基板部の１８０゜対向する２辺に連設された２つの端子部とを含むパネル基板を２枚作製し、
上記各パネル基板の一方の面に、上記各端子部から上記表示基板部内に向けて互いに平行としてストライプ状に延びる透明電極群をそれぞれ形成し、
上記一方のパネル基板の一方の面側で上記表示基板部の周りにシール材を塗布し、そのシール材で囲まれた上記表示基板部内に液晶を滴下注入し、
上記各パネル基板を同軸として相対的に９０゜ずらした状態で、上記シール材を介して貼り合わせることを特徴とする液晶表示素子の製造方法。
【手続補正２】
【補正対象書類名】明細書
【補正対象項目名】００１０
【補正方法】変更
【補正の内容】
【００１０】
上記課題を解決するため、本発明の液晶表示素子は、ほぼ真円状を呈する表示基板部と、上記表示基板部の中心点に対する挟角を９０゜以内として上記表示基板部の１８０゜対向する２辺に連設された２つの端子部とを含み、上記真円状を呈する表示基板部がほぼ同形・同大の第１パネル基板および第２パネル基板を備え、上記第１パネル基板と上記第２パネル基板とが、同軸として相対的に９０゜ずらされた状態で上記表示基板部の周りに形成されているシール材を介して貼り合わされているとともに、上記シール材にて囲まれた上記パネル基板間のセル内に液晶が注入されており、上記第１パネル基板の上記セル内面側の基板面には、上記各端子部から上記表示基板部内に向けて互いに平行としてストライプ状に延びる第１透明電極群が形成され、上記第２パネル基板の上記セル内面側の基板面には、上記第１透明電極群と直交するように、上記各端子部から上記表示基板部内に向けて互いに平行としてストライプ状に延びる第２透明電極群が形成されていることを特徴としている。
【手続補正３】
【補正対象書類名】明細書
【補正対象項目名】００１１
【補正方法】変更
【補正の内容】
【００１１】
この場合、液晶表示素子の全体をほぼ真円状とするため、上記各端子部の上記表示基板部の中心点に対する挟角が９０゜であり、かつ、上記各端子部の外形が上記表示基板部と同心の円弧状に形成されていることが好ましい。
【手続補正４】
【補正対象書類名】明細書
【補正対象項目名】００１２
【補正方法】変更
【補正の内容】
【００１２】
また、本発明の液晶表示素子は、ほぼ真円状を呈する表示基板部と、一方の上記表示基板部の中心点に対する挟角θ１を７０゜≦θ１≦９０゜とし、他方の上記表示基板部の中心点に対する挟角θ２を９０゜≦θ２≦１１０゜として上記表示基板部の１８０゜対向する２辺に連設された２つの端子部とを含み、上記真円状を呈する表示基板部がほぼ同形・同大の第１パネル基板および第２パネル基板を備え、上記第１パネル基板と上記第２パネル基板とが、上記端子部のそれぞれが中心点を軸として対向し、補完するように相対的にずらされた状態で上記表示基板部の周りに形成されているシール材を介して貼り合わされているとともに、上記シール材にて囲まれた上記パネル基板間のセル内に液晶が注入されており、上記第１パネル基板の上記セル内面側の基板面には、上記各端子部から上記表示基板部内に向けて互いに平行としてストライプ状に延びる第１透明電極群が形成され、上記第２パネル基板の上記セル内面側の基板面には、上記第１透明電極群と直交するように、上記各端子部から上記表示基板部内に向けて互いに平行としてストライプ状に延びる第２透明電極群が形成されていることを特徴としている。
【手続補正５】
【補正対象書類名】明細書
【補正対象項目名】００１３
【補正方法】変更
【補正の内容】
【００１３】
また、本発明の液晶表示素子の製造方法は、ほぼ真円状を呈する表示基板部と上記表示基板部の中心点に対する挟角を９０゜以内として上記表示基板部の１８０゜対向する２辺に連設された２つの端子部とを含むパネル基板を２枚作製し、上記各パネル基板の一方の面に、上記各端子部から上記表示基板部内に向けて互いに平行としてストライプ状に延びる透明電極群をそれぞれ形成し、上記一方のパネル基板の一方の面側で上記表示基板部の周りにシール材を塗布し、そのシール材で囲まれた上記表示基板部内に液晶を滴下注入し、上記各パネル基板を同軸として相対的に９０゜ずらした状態で、上記シール材を介して貼り合わせることを特徴としている。
【手続補正６】
【補正対象書類名】明細書
【補正対象項目名】００１４
【補正方法】変更
【補正の内容】
【００１４】
本発明によれば、第１および第２の２枚のパネル基板をともに、ほぼ真円状を呈する表示基板部と、表示基板部の中心点に対する挟角を９０゜以内として表示基板部の１８０゜対向する２辺に連設された２つの端子部とを含む形状とし、第１および第２のパネル基板の各々に、各端子部から表示基板部内に向けて互いに平行としてストライプ状に延びる透明電極群をそれぞれ形成し、一方のパネル基板の表示基板部の周りにシール材を塗布し、そのシール材で囲まれた表示基板部内に液晶を滴下注入し、第１および第２の各パネル基板を同軸として相対的に９０゜ずらした状態で、シール材を介して貼り合わせることにより、狭額縁の円形フルドットマトリクス表示部を備えた液晶表示素子が提供される。
【手続補正７】
【補正対象書類名】明細書
【補正対象項目名】００１５
【補正方法】変更
【補正の内容】
【００１５】
また、各端子部の表示基板部の中心点に対する挟角を９０゜とし、かつ、各端子部の外形を表示基板部と同心の円弧状に形成することにより、全体が円形の液晶表示素子が得られる。このような円形の液晶表示素子は、例えば４輪自動車もしくは自動２輪車の速度計などに好適である。
【手続補正８】
【補正対象書類名】明細書
【補正対象項目名】００１９
【補正方法】変更
【補正の内容】
【００１９】
端子部１２ａ，１２ｂ；２２ａ，２２ｂは、表示基板部１１，２１の中心点Ｏに対する挟角θを９０゜以内として表示基板部１１，２１の１８０゜対向する２辺に連設されている。
【手続補正９】
【補正対象書類名】明細書
【補正対象項目名】００２０
【補正方法】変更
【補正の内容】
【００２０】
この例では上記挟角θを９０゜としており、Ｘ−Ｙの４象限座標で言えば、第１パネル基板１０側の表示基板部１１は、第２象限と第４象限とに端子部１２ａ，１２ｂを備え、第２パネル基板２０側の表示基板部２１は、第１象限と第３象限とに端子部２２ａ，２２ｂを備えている。
【手続補正１０】
【補正対象書類名】明細書
【補正対象項目名】００３３
【補正方法】変更
【補正の内容】
【００３３】
なお、上記実施形態では、各端子部１２ａ，１２ｂ；２２ａ，２２ｂの表示基板部１１，２１の中心点Ｏに対する挟角θを９０゜としているが、形成される透明電極の本数によっては上記挟角θを９０゜未満としてもよい。